(57)【要約】【課題】送信先情報を登録した送信先リストの中からデータ送信の相手先を指定する場合に、表示領域の制約を受けるときであっても、データ送信を伴う情報処理で用いられる処理パラメータの情報と、そのデータ送信の相手先についての情報とを利用者に把握させるための表示を行う。【解決手段】（ａ）画像形成装置は、スキャン処理における４種類の処理条件について、各処理条件の選択中の処理パラメータを意味するオブジェクト画像Ｉ１，Ｉ２，Ｉ３及びＩ４を表示する。（ｂ）画像形成装置は、電子メールアドレス及び相手先名が登録されたアドレス帳データの中から、スキャン処理におけるデータ送信の相手先を指定する操作を受けると、指定された相手先の相手先名を、オブジェクト画像Ｉ１，Ｉ２，Ｉ３及びＩ４に代えて表示する。（ｃ）画像形成装置は、相手先名の表示後、設定時間が経過すると、オブジェクト画像Ｉ１，Ｉ２，Ｉ３及びＩ４の表示に戻す。【選択図】図１３
2014216846.tif 000002
【特許請求の範囲】
【請求項１】
データ送信の相手先を特定する文字列である送信先情報が登録された送信先リストの中から、前記相手先を指定する操作を受け付ける受付手段と、
前記データ送信を伴う情報処理で用いられる処理パラメータを意味するオブジェクト画像を、予め決められた表示領域に表示する表示制御手段であって、
前記操作により前記相手先が指定されると、前記送信先リストに登録された当該相手先についての情報を、前記オブジェクト画像に代えて前記表示領域に表示し、設定された時間が経過すると、前記オブジェクト画像の表示に戻す表示制御手段と
を備える情報処理装置。
【請求項２】
前記表示制御手段は、
前記相手先についての情報を含む複数の表示情報を順次切り替えて表示して、前記オブジェクト画像の表示に戻す
請求項１に記載の情報処理装置。
【請求項３】
前記表示制御手段は、
指定された前記相手先との通信履歴に基づいて、前記時間の長さを変化させる
請求項１又は２に記載の情報処理装置。
【請求項４】
前記表示制御手段は、
指定された前記相手先の前記送信先情報の文字数が多いほど、前記時間を長くする
請求項１から３のいずれか１項に記載の情報処理装置。
【請求項５】
前記送信先リストは、
前記相手先の各々を識別する識別情報を含み、
前記受付手段は、
前記識別情報を特定する文字により前記操作を受け付け、
前記表示制御手段は、
前記文字により特定された前記識別情報が、前記送信先リストに含まれる前記識別情報と合致すると、前記相手先についての情報の表示を開始する
請求項１から４のいずれか１項に記載の情報処理装置。
【請求項６】
前記表示制御手段は、
選択的に用いられる複数の前記処理パラメータのうち、選択中の前記処理パラメータの前記オブジェクト画像を表示する
請求項１から５のいずれか１項に記載の情報処理装置。
【請求項７】
データ送信の相手先を特定する文字列である送信先情報が登録された送信先リストの中から、前記相手先を指定する第１操作を受け付ける第１受付手段と、
前記データ送信を伴う情報処理で選択的に用いられる複数の処理パラメータの中で、選択中の前記処理パラメータを変更する第２操作を受け付ける第２受付手段と、
選択中の前記処理パラメータを意味するオブジェクト画像を、予め決められた表示領域に表示する表示制御手段であって、
前記第１操作により前記相手先が指定されると、前記送信先リストに登録された当該相手先についての情報を、前記オブジェクト画像に代えて前記表示領域に表示し、設定された時間が経過すると、前記オブジェクト画像の表示に戻し、
前記第２操作により前記処理パラメータが変更されると、表示中の前記オブジェクト画像を、変更後の前記処理パラメータを意味する前記オブジェクト画像に変化させる表示制御手段と、
選択中の前記処理パラメータを用いて前記情報処理を実行する実行手段と
を備える情報処理装置。
【請求項８】
コンピュータを、
データ送信の相手先を特定する文字列である送信先情報が登録された送信先リストの中から、前記相手先を指定する操作を受け付ける受付手段と、
前記データ送信を伴う情報処理で用いられる処理パラメータを意味するオブジェクト画像を、予め決められた表示領域に表示する表示制御手段であって、
前記操作により前記相手先が指定されると、前記送信先リストに登録された当該相手先についての情報を、前記オブジェクト画像に代えて前記表示領域に表示し、設定された時間が経過すると、前記オブジェクト画像の表示に戻す表示制御手段
として機能させるためのプログラム。
【発明の詳細な説明】
【技術分野】
【０００１】
本発明は、情報処理装置及びプログラムに関する。
【背景技術】
【０００２】
特許文献１は、誤送信防止効果を享受するために、ユーザが操作キー部を用いて操作入力するか又はアドレス帳データから選択入力することによって、宛先アドレス情報を指定した場合に、その宛先アドレス情報をユーザに確認させるために印字出力することを開示している。
【先行技術文献】
【特許文献】
【０００３】
【特許文献１】特開２０１０−１０９７５１号公報
【発明の概要】
【発明が解決しようとする課題】
【０００４】
画像形成装置等の情報処理装置には、情報処理の処理条件を指定するパラメータ（以下「処理パラメータ」という。）であって、選択中の処理パラメータの情報を表示する機能を有しているものがある。ただし、この種の情報処理装置では、表示領域の制約を受けて、表示可能な情報の量が制限されてしまうことがある。
本発明の目的は、送信先情報を登録した送信先リストの中からデータ送信の相手先を指定する場合に、表示領域の制約を受けるときであっても、データ送信を伴う情報処理で用いられる処理パラメータの情報と、そのデータ送信の相手先についての情報とを利用者に把握させるための表示を行うことである。
【課題を解決するための手段】
【０００５】
本発明の請求項１に係る情報処理装置は、データ送信の相手先を特定する文字列である送信先情報が登録された送信先リストの中から、前記相手先を指定する操作を受け付ける受付手段と、前記データ送信を伴う情報処理で用いられる処理パラメータを意味するオブジェクト画像を、予め決められた表示領域に表示する表示制御手段であって、前記操作により前記相手先が指定されると、前記送信先リストに登録された当該相手先についての情報を、前記オブジェクト画像に代えて前記表示領域に表示し、設定された時間が経過すると、前記オブジェクト画像の表示に戻す表示制御手段とを備える。
【０００６】
本発明の請求項２に係る情報処理装置は、請求項１に係る構成において、前記表示制御手段は、前記相手先についての情報を含む複数の表示情報を順次切り替えて表示して、前記オブジェクト画像の表示に戻す。
【０００７】
本発明の請求項３に係る情報処理装置は、請求項１又は２に係る構成において、前記表示制御手段は、指定された前記相手先との通信履歴に基づいて、前記時間の長さを変化させる。
【０００８】
本発明の請求項４に係る情報処理装置は、請求項１から３のいずれか１項に係る構成において、前記表示制御手段は、指定された前記相手先の前記送信先情報の文字数が多いほど、前記時間を長くする。
【０００９】
本発明の請求項５に係る情報処理装置は、請求項１から４のいずれか１項に係る構成において、前記送信先リストは、前記相手先の各々を識別する識別情報を含み、前記受付手段は、前記識別情報を特定する文字により前記操作を受け付け、前記表示制御手段は、前記文字により特定された前記識別情報が、前記送信先リストに含まれる前記識別情報と合致すると、前記相手先についての情報の表示を開始する。
【００１０】
本発明の請求項６に係る情報処理装置は、請求項１から５のいずれか１項に係る構成において、前記表示制御手段は、選択的に用いられる複数の前記処理パラメータのうち、選択中の前記処理パラメータの前記オブジェクト画像を表示する。
【００１１】
本発明の請求項７に係る情報処理装置は、データ送信の相手先を特定する文字列である送信先情報が登録された送信先リストの中から、前記相手先を指定する第１操作を受け付ける第１受付手段と、前記データ送信を伴う情報処理で選択的に用いられる複数の処理パラメータの中で、選択中の前記処理パラメータを変更する第２操作を受け付ける第２受付手段と、選択中の前記処理パラメータを意味するオブジェクト画像を、予め決められた表示領域に表示する表示制御手段であって、前記第１操作により前記相手先が指定されると、前記送信先リストに登録された当該相手先についての情報を、前記オブジェクト画像に代えて前記表示領域に表示し、設定された時間が経過すると、前記オブジェクト画像の表示に戻し、前記第２操作により前記処理パラメータが変更されると、表示中の前記オブジェクト画像を、変更後の前記処理パラメータを意味する前記オブジェクト画像に変化させる表示制御手段と、選択中の前記処理パラメータを用いて前記情報処理を実行する実行手段とを備える。
【００１２】
本発明の請求項８に係るプログラムは、コンピュータを、データ送信の相手先を特定する文字列である送信先情報が登録された送信先リストの中から、前記相手先を指定する操作を受け付ける受付手段と、前記データ送信を伴う情報処理で用いられる処理パラメータを意味するオブジェクト画像を、予め決められた表示領域に表示する表示制御手段であって、前記操作により前記相手先が指定されると、前記送信先リストに登録された当該相手先についての情報を、前記オブジェクト画像に代えて前記表示領域に表示し、設定された時間が経過すると、前記オブジェクト画像の表示に戻す表示制御手段として機能させるためのプログラムである。
【発明の効果】
【００１３】
請求項１に係る発明によれば、送信先情報を登録した送信先リストの中からデータ送信の相手先を指定する場合に、表示領域の制約を受けるときであっても、データ送信を伴う情報処理で用いられる処理パラメータの情報と、そのデータ送信の相手先についての情報とを利用者に把握させるための表示を行うことができる。
請求項２に係る発明によれば、表示領域の制約を受ける場合であっても、データ送信の相手先についての情報を含む複数の表示情報を表示することができる。
請求項３に係る発明によれば、利用者が指定した相手先との通信履歴に基づいて、誤送信の発生のしやすさに応じた方法で、データ送信の相手先についての情報を表示することができる。
請求項４に係る発明によれば、利用者が指定した相手先の送信先情報の文字数に基づいて、誤送信の発生のしやすさに応じた方法で、データ送信の相手先についての情報を表示することができる。
請求項５に係る発明によれば、データ送信の相手先を識別する識別情報を特定する文字によって、その相手先が指定された場合であっても、指定された相手先の情報を利用者に把握させることができる。
請求項６に係る発明によれば、選択的に用いられる複数の処理パラメータのうち、選択中の処理パラメータを利用者に把握させるためのオブジェクト画像を表示することができる。
請求項７に係る発明によれば、送信先情報を登録した送信先リストの中からデータ送信の相手先を指定する場合に、表示領域の制約を受けるときであっても、データ送信を伴う情報処理で用いられる処理パラメータの情報と、そのデータ送信の相手先についての情報とを利用者に把握させるための表示を行うことができる。
請求項８に係る発明によれば、送信先情報を登録した送信先リストの中からデータ送信の相手先を指定する場合に、表示領域の制約を受けるときであっても、データ送信を伴う情報処理で用いられる処理パラメータの情報と、そのデータ送信の相手先についての情報とを利用者に把握させるための表示を行うことができる。
【図面の簡単な説明】
【００１４】
【図１】本発明の実施形態に係る画像形成装置の正面図。
【図２】同画像形成装置のハードウェア構成を示すブロック図。
【図３】同実施形態に係るアドレス帳データの構成例を示す図。
【図４】同実施形態に係る画像形成装置の図１の矢印ａで示す位置の構成を示す図。
【図５】同画像形成装置で表示される操作画面を示す図。
【図６】同画像形成装置の制御部の機能構成を示すブロック図。
【図７】同画像形成装置での処理の流れを示すフローチャート。
【図８】同画像形成装置での操作画面の遷移を示す図（読取濃度）。
【図９】同画像形成装置での操作画面の遷移を示す図（原稿種）。
【図１０】同画像形成装置での操作画面の遷移を示す図（両面とじ原稿）。
【図１１】同画像形成装置での操作画面の遷移を示す図（送信解像度）。
【図１２】同画像形成装置での操作画面の遷移を示す図（カラーモード）。
【図１３】同画像形成装置での操作画面の遷移を示す図（表示方法Ａ）。
【図１４】同画像形成装置での操作画面の遷移を示す図（表示方法Ｂ）。
【図１５】同画像形成装置での操作画面の遷移を示す図（表示方法Ｃ）。
【図１６】同画像形成装置の設定時間を決定する処理の流れを示すフローチャート。
【図１７】同画像形成装置での操作画面の遷移の他の例を示す図。
【図１８】同画像形成装置でのアドレス帳画面から操作画面への画面遷移を示す図。
【発明を実施するための形態】
【００１５】
本発明の実施の形態について図面を参照しつつ説明する。以下、本発明の情報処理装置を画像形成装置に適用した場合を説明する。
図１は、画像形成装置１０の正面図である。図１に示すように、画像形成装置１０は、ここではいわゆるコンソール型であり、例えば、スキャン処理、ファクシミリ送信処理及びコピー処理等の複数種類の情報処理を実行する機能を有している。このうち、スキャン処理及びファクシミリ送信処理は、データ送信を伴う情報処理である。
【００１６】
図２は、画像形成装置１０のハードウェア構成を示すブロック図である。図２に示すように、画像形成装置１０は、制御部１１と、操作部１２と、通信部１３と、表示部１４と、画像読取部１５と、画像形成部１６と、記憶部１７とを備える。
制御部１１は、ＣＰＵ（Central Processing Unit）及びＡＳＩＣ（Application Specific Integrated Circuit）を含む演算装置やメモリを備える制御装置であり、画像形成装置１０の各部を制御する。操作部１２は、複数の操作子を備え、利用者により操作される操作装置である。操作部１２は、利用者により行われた操作を示す操作信号を制御部１１へ供給する。通信部１３は、例えばモデムを備え、インターネットや電話回線を含む通信回線２００に接続して通信するインタフェースある。通信部１３は、画像形成装置１０でスキャン処理又はファクシミリ送信処理が実行されるときに、通信回線２００経由で外部装置へデータ送信する。表示部１４は、例えば液晶ディスプレイであり、表示パネル１４１（図４参照）に画像（画面）を表示する表示装置である。
【００１７】
画像読取部１５は、例えばスキャナであり、原稿の画像を読み取って、読み取った画像を表す画像データを制御部１１へ供給する。画像形成部１６は、例えば電子写真プロセスで用紙等のシートに画像を形成するプリンタである。画像形成装置１０でスキャン処理が実行される場合、制御部１１は、画像読取部１５により原稿を読み取って生成された画像データを、通信部１３を用いて、電子メールアドレスで特定される相手先へデータ送信する。画像形成装置１０でファクシミリ送信処理が実行される場合、制御部１１は、画像読取部１５により原稿を読み取って生成された画像データを、通信部１３を用いて、ファクシミリ番号で特定される相手先へデータ送信する。画像形成装置１０でコピー処理が実行される場合、制御部１１は、画像読取部１５により原稿を読み取って生成された画像データに応じた画像を、画像形成部１６に形成させる。
【００１８】
記憶部１７は、例えばハードディスク装置を備え、制御部１１により実行される制御プログラム及びアドレス帳データ１７１を記憶する。アドレス帳データ１７１は、データ送信の相手先毎に、その相手先についての情報を登録した送信先リストである。
【００１９】
図３は、アドレス帳データ１７１の構成例を示す図である。図３に示すように、アドレス帳データ１７１は、登録ＩＤと、相手先名と、電子メールアドレスと、ファクシミリ番号とを１つのレコードで関連付けたデータセットを、複数レコード含んで構成される。
登録ＩＤは、レコードを識別する識別情報であり、ここでは数値で表される。アドレス帳データ１７１において１つのレコードで関連付けられたデータセットは、データ送信の１つの相手先に対応する。よって、登録ＩＤは、アドレス帳データ１７１に情報が登録された相手先の各々を識別する識別情報（つまり相手先ＩＤ）と同義といって差し支えない。
【００２０】
相手先名は、データ送信の相手先の名称である。この相手先名は、画像形成装置１０の利用者によって設定される名称であり、例えば、氏名（個人名）や法人名（例えば企業名）に設定される。電子メールアドレスは、電子メールを用いてデータ送信するために用いられる送信先情報である。ファクシミリ番号は、ファクシミリ送信処理でデータ送信するために用いられる送信先情報である。電子メールアドレス及びファクシミリ番号の各々は、データ送信の相手先を特定する文字列であり、その相手先毎に異なる文字列となる。
なお、図３の例では、データ送信の各相手先について電子メールアドレス及びファクシミリ番号が設定されているが、電子メールアドレス又はファクシミリ番号のどちらか一方だけが設定されていてもよい。
【００２１】
図４は、画像形成装置１０の図１の矢印ａで示す位置の構成を示す図である。図４に示すように、画像形成装置１０の矢印ａで示す位置には、表示部１４の構成要素である表示パネル１４１、及び、操作部１２の構成要素である変更キー１２１，１２２，１２３，１２４と、方向／確定キー１２５と、テンキー１２６と、スタートキー１２７と、アドレス帳キー１２８との各操作キー（ここでは物理キー）が設けられている。利用者は、画像形成装置１０の正面側に立って、表示パネル１４１に表示された画像を視認したり、操作部１２の各操作キーを操作したりする。表示パネル１４１は、ここでは、縦方向よりも横方向に長い矩形の表示領域を有している。
【００２２】
変更キー１２１，１２２，１２３及び１２４の各々は、画像形成装置１０で実行される情報処理の処理条件を指定（つまり変更）するために操作される。変更キー１２１から１２４の各々は、情報処理の処理条件のいずれか１種類に対応し、且つ、互いに異なる種類の処理条件に対応している。方向／確定キー１２５は、上下左右の各方向を指示するための４つの方向キーと、４つの方向キーに囲まれて設けられ、利用者が指定した事項を確定するための確定キーとを含む。テンキー１２６は、「０」から「９」までの各数値を指示するための数値キーと、「＊（アスタリスク）」キーと、「♯（シャープ）」キーとを含む。スタートキー１２７は、情報処理の実行開始を指示するときに操作される。アドレス帳キー１２８は、アドレス帳データ１７１に登録された情報を含むアドレス帳画面の表示を指示するときに操作される。
【００２３】
図５は、表示パネル１４１に表示される操作画面Ｒを示す図である。操作画面Ｒは、スキャン処理の処理条件を指定するための操作画面である。表示パネル１４１は、約３０文字×４行分の文字列を表示する寸法の表示領域を有している。以下では、表示パネル１４１の表示領域のうち、第１行に相当する表示領域を「表示領域１４１ａ」とし、第２行から第４行に相当する領域を「表示領域１４１ｂ」として説明する。
なお、図５及び他の図面において、表示領域１４１ｂの文字列をハイライト表示している場合には、この文字列にカーソルが合わせられていることを意味する。カーソルを用いた操作については後で説明する。
【００２４】
表示領域１４１ａでは、利用者から見て左側に、「Ｓｃａｎ  ｔｏ［※］」（図５では「※」の部分は空欄）という文字列が表示される。この文字列は、スキャン処理で生成された画像データの送信先を意味する。送信先が未設定の場合には、図５に示すとおり、大括弧内が空欄である。アドレス帳データ１７１に登録された相手先が、送信先に設定された場合には、その相手先の登録ＩＤが大括弧内に表示される。
【００２５】
また、表示領域１４１ａでは、利用者から見て「Ｓｃａｎ  ｔｏ［※］」の文字列の右側に、オブジェクト画像Ｉ１，Ｉ２，Ｉ３及びＩ４（ここではアイコン画像）が左から順に配置されている。オブジェクト画像Ｉ１からＩ４の各々は、スキャン処理の互いに異なる処理条件に対応し、各処理条件の選択中の処理パラメータを意味する（象徴する）画像である。
【００２６】
具体的には、オブジェクト画像Ｉ１は、画像読取部１５による原稿の読取濃度を指定する処理条件である、「読取濃度」に対応する。この読取濃度では、読取濃度が異なる５つ（５段階）の処理パラメータのうち、いずれか１つの処理パラメータが選択される。オブジェクト画像Ｉ１は、読取濃度として「最高濃度」が選択中であることを意味する画像である。読取濃度の処理パラメータを変更する場合には、変更キー１２１が利用者に操作される。
【００２７】
オブジェクト画像Ｉ２は、画像読取部１５が読み取る原稿の種別を指定する処理条件である、「原稿種」に対応する。この原稿種では、主に文字が含まれることを意味する「文字」と、写真及び文字がバランス良く含まれることを意味する「写真＆文字」と、主に写真が含まれることを意味する「写真」という、３つの処理パラメータのうち、いずれか１つの処理パラメータが選択される。オブジェクト画像Ｉ２は、原稿種として「文字」が選択中であることを意味する画像である。原稿種の処理パラメータを変更する場合には、変更キー１２２が利用者に操作される。
【００２８】
オブジェクト画像Ｉ３は、読み取る原稿の片面／両面種別と両面時のとじ方向を指定する処理条件である、「両面とじ原稿」に対応する。この両面とじ原稿条件では、片面原稿を意味する「なし」と、長辺とじの両面原稿を意味する「長辺とじ」と、短辺とじ原稿を意味する「短辺とじ」という、３つの処理パラメータのうち、いずれか１つの処理パラメータが選択される。オブジェクト画像Ｉ３は、両面とじ原稿条件として「なし（片面原稿)」が選択中であることを意味する画像である。両面とじ原稿条件の処理パラメータを変更する場合には、変更キー１２３が利用者に操作される。
【００２９】
オブジェクト画像Ｉ４は、画像読取部１５によって読み取った原稿を送信する際の解像度を指定する処理条件である、「送信解像度」がある。この送信解像度では、縦方向及び横方向の解像度として、「２００×２００ｄｐｉ（dots per inch）」と、「３００×３００ｄｐｉ」と、「４００×４００ｄｐｉ」と、「６００×６００ｄｐｉ」という、４つの処理パラメータのうち、いずれか１つの処理パラメータが選択される。オブジェクト画像Ｉ４は、送信解像度として「２００×２００ｄｐｉ」が選択中であることを意味する画像である。送信解像度の処理パラメータを変更する場合には、変更キー１２４が利用者に操作される。
【００３０】
オブジェクト画像Ｉ１からＩ４のうち、左からｉ番目（ただし、ｉ＝１から４）に表示されたオブジェクト画像と、変更キー１２１から１２４のうち、左からｉ番目に設けられた変更キーとは、同じ処理条件に対応する。また、オブジェクト画像Ｉ１からＩ４の各々は、対応する処理条件の処理パラメータが変更させられると、変更後の処理パラメータを意味するオブジェクト画像に変化させられる。このオブジェクト画像の変化については後で説明する。
【００３１】
表示領域１４１ｂでは、変更キー１２１から１２４に対応する処理条件とは別の処理条件の情報が表示される。表示領域１４１ｂでは、表示パネル１４１の第２行から第４行の各行に相当する領域で、処理パラメータの名称と、選択中の処理パラメータを意味する文字列とが互いに関連付けて表示される。
図５に示すように、表示パネル１４１の第２行に相当する領域には、処理条件として「カラーモード」と、カラーモードについて選択中の処理パラメータを意味する「カラー」という文字列とが表示される。カラーモードは、画像読取部１５により読み取る画像の色を指定する処理条件である。このカラーモードは、画像読取部１５が有しているＲ（赤）、Ｇ（緑）及びＢ（青）のＣＣＤ（Charge Coupled Device）を使用する「カラー」と、モノクロのＣＣＤのみを使用する「白黒」と、原稿に使用されている色に応じて制御部１１が使用するＣＣＤを判断する「自動」という３つの処理パラメータのうち、いずれか１つの処理パラメータが選択される。
【００３２】
表示パネル１４１の第３行に相当する領域には、処理条件として「ファイル形式」と、ファイル形式について選択中の処理パラメータである「ＰＤＦ（Portable Document Format）」という文字列とが表示される。ファイル形式は、画像読取部１５により生成される画像データのファイル形式を指定する処理条件である。このファイル形式は、ＰＤＦ等のファイル形式が互いに異なる複数の処理パラメータのうち、いずれか１つの処理パラメータが選択される。
【００３３】
表示パネル１４１の第４行に相当する領域には、処理条件として「読取サイズ」と、読み取り対象の原稿のサイズについて選択中の処理パラメータである「Ａ４」という文字列が表示される。読取サイズは、Ａ４等の読取サイズが異なる複数の処理パラメータのうち、いずれか１つの処理パラメータが選択される。
【００３４】
表示領域１４１ｂに情報が表示されるカラーモード、ファイル形式及び読取サイズの各処理条件については、変更キー１２１から１２４ではなく、方向／確定キー１２５の操作により処理パラメータが変更させられる。
ここでは詳細な説明及び図示を省略するが、ファクシミリ送信処理やコピー処理の処理条件を変更する場合にも、変更キー１２１から１２４は、互いに異なる処理条件に対応し、且つ、対応する処理条件の処理パラメータを変更するために操作される。また、表示領域１４１ｂには、変更キー１２１から１２４に対応する処理条件とは別の処理条件の情報が表示される。
【００３５】
図６は、画像形成装置１０の機能構成を示すブロック図である。図６に示すように、画像形成装置１０の制御部１１は、記憶部１７に記憶された制御プログラムを実行することにより、第１受付手段１１１と、第２受付手段１１２と、表示制御手段１１３と、実行手段１１４とに相当する機能を実現する。
第１受付手段１１１は、アドレス帳データ１７１の中から、データ送信の相手先を指定する操作（第１操作）を受け付ける。例えば、第１受付手段１１１は、テンキー１２６を用いて登録ＩＤを指定する操作により、データ送信の相手先を指定する操作を受け付ける。また、第１受付手段１１１は、アドレス帳データ１７１に基づいてアドレス帳画面が表示パネル１４１に表示されているときに、方向／確定キー１２５を用いて相手先を指定する操作を受け付ける。
【００３６】
第２受付手段１１２は、情報処理で選択的に用いられる複数の処理パラメータの中で、選択中の処理パラメータを変更する操作（第２操作）を受け付ける。情報処理の処理条件が複数ある場合には、第２受付手段１１２は、処理条件毎に、処理パラメータを変更する操作を受け付ける。例えば、第２受付手段１１２は、変更キー１２１から１２４を用いて処理パラメータを変更する操作、及び、方向／確定キー１２５を用いて処理パラメータを変更する操作を受け付ける。
【００３７】
表示制御手段１１３は、表示部１４の表示パネル１４１に画像を表示する表示制御を行う。例えば、表示制御手段１１３は、テンキー１２６を用いてデータ送信の相手先が指定されると、アドレス帳データ１７１に登録されたこの相手先についての情報を含む表示情報を、オブジェクト画像に代えて、表示領域１４１ａに表示する。表示制御手段１１３は、表示情報を表示して、設定された時間が経過すると、オブジェクト画像の表示に戻す。
【００３８】
また、表示制御手段１１３は、第２受付手段１１２が受け付けた操作により、表示領域１４１ａにオブジェクト画像が表示されている処理条件の処理パラメータが変更されると、表示中のオブジェクト画像を、変更後の処理パラメータを意味するオブジェクト画像に変化させる。表示制御手段１１３は、第２受付手段１１２が受け付けた操作により、表示領域１４１ｂに情報が表示される処理条件の処理パラメータが変更されると、表示領域１４１ｂに表示される選択中の処理パラメータを示す文字列を変化させる。
【００３９】
実行手段１１４は、選択中の処理パラメータを用いて情報処理を実行するように、画像形成装置１０の各部を制御する。スキャン処理又はファクシミリ処理を実行する場合、実行手段１１４は、画像読取部１５により生成された画像データを、通信部１３を用いて、指定された相手先へデータ送信する。
【００４０】
図７は、画像形成装置１０でスキャン処理が実行されるときの処理の流れを示すフローチャートである。図８は、読取濃度の処理パラメータが変更させられるときの操作画面の遷移を示す図である。
画像形成装置１０の制御部１１は、例えば、画像形成装置１０の電源投入後や特定の操作が行われた場合に、表示パネル１４１にスキャン処理に関する操作画面を表示するよう、表示部１４を制御する（ステップＳ１）。ここでは、制御部１１は、図５に示す操作画面Ｒを表示パネル１４１に表示する。操作画面Ｒは、例えば、標準設定の処理パラメータが選択中のときに表示される操作画面である。
【００４１】
次に、制御部１１は、処理パラメータを変更する操作を受け付けたかどうかを判断する（ステップＳ２）。ステップＳ２の処理では、制御部１１は、変更キー１２１から１２４を用いた操作、又は、方向／確定キー１２５を用いた操作のどちらか一方が行われたかどうかを判断する。ステップＳ２の処理で「ＹＥＳ」と判断した場合、制御部１１は、処理パラメータを変更する操作が、変更キー１２１から１２４を用いて行われた操作かどうかを判断する（ステップＳ３）。制御部１１は、変更キー１２１から１２４を用いた操作と判断した場合（ステップＳ３；ＹＥＳ）、表示領域１４１ａのオブジェクト画像を変化させるように、操作画面Ｒを更新する（ステップＳ４）。
【００４２】
ここで、利用者により変更キー１２１が１回操作されて、読取濃度の処理パラメータを変更することが指示された場合を考える。この場合、制御部１１は、変更キー１２１の１回の操作により、読取濃度の処理パラメータを、１段階低い濃度とするように変更する。制御部１１は、変更キーを用いた操作により処理パラメータが変更させられると、その操作がある度に、メモリ又は記憶部１７に記憶されている選択中の処理パラメータの情報を更新する。この処理パラメータの変更に伴い、制御部１１は、ステップＳ４の処理では、図８（ａ）に示す操作画面に更新する。
具体的には、制御部１１は、表示領域１４１ａのオブジェクト画像Ｉ１を、オブジェクト画像Ｉ１ａに変化させる。オブジェクト画像Ｉ１は、読取濃度が５段階中の最高濃度を意味する画像であるのに対し、オブジェクト画像Ｉ１ａは、読取濃度が５段階中の２番目に高い濃度であることを意味する画像である。また、制御部１１は、表示領域１４１ｂに、読取濃度の処理パラメータの選択肢、及び、選択中の処理パラメータを意味する情報を表示する。具体的には、制御部１１は、読取濃度の処理パラメータの選択肢が５つであることを意味する、５つのマス目からなるスケール画像ＳＩを表示するとともに、選択中の処理パラメータに応じた位置にカーソルＣ１を表示する。ここでは、制御部１１は、スケール画像ＳＩの左から２番目のマス目を指す位置で、カーソルＣ１を表示する。
【００４３】
ステップＳ４の処理で操作画面を更新すると、制御部１１は、情報処理の開始を指示する操作を受け付けたかどうかを判断する（ステップＳ５）。ステップＳ５の処理では、制御部１１は、操作画面の表示中に、スタートキー１２７が操作されたかどうかを判断する。制御部１１は、未だ情報処理の開始を指示する操作を受け付けていないと判断すると（ステップＳ５；ＮＯ）、ステップＳ２の処理に戻る。
【００４４】
ここで、図８（ａ）に示す操作画面に更新された後、利用者により変更キー１２１が複数回操作された場合の画像形成装置１０の動作を説明する。この場合、制御部１１は、ステップＳ２からＳ６の処理ステップを、変更キー１２１が操作された回数だけ繰り返し実行する。
図８（ａ）に示す操作画面の表示中に、変更キー１２１が１回操作されると、制御部１１は、図８（ｂ）に示す操作画面に更新する。すなわち、制御部１１は、オブジェクト画像Ｉ１ａを、５段階中の３番目に高い濃度であることを意味するオブジェクト画像Ｉ１ｂに変化させる。また、制御部１１は、スケール画像ＳＩの左から３番目のマス目を指す位置で、カーソルＣ１を表示する。図８（ｂ）に示す操作画面の表示中に、変更キー１２１が１回操作されると、制御部１１は、図８（ｃ）に示す操作画面に更新する。すなわち、制御部１１は、オブジェクト画像Ｉ１ｂを、５段階中の４番目に高い濃度であることを意味するオブジェクト画像Ｉ１ｃに変化させる。また、制御部１１は、スケール画像ＳＩの左から４番目のマス目を指す位置で、カーソルＣ１を表示する。図８（ｃ）に示す操作画面の表示中に、変更キー１２１が１回操作されると、制御部１１は、図８（ｄ）に示す操作画面に更新する。すなわち、制御部１１は、オブジェクト画像Ｉ１ｃを、５段階中の５番目に高い濃度（すなわち最低濃度）であることを意味するオブジェクト画像Ｉ１ｄに変化させる。また、制御部１１は、スケール画像ＳＩの左から５番目（つまり右端）のマス目を指す位置で、カーソルＣ１を表示する。図８（ｄ）に示す操作画面の表示中に、変更キー１２１が１回操作されると、制御部１１は、図８（ｅ）に示す操作画面に更新する。すなわち、制御部１１は、オブジェクト画像Ｉ１ｂを、最高濃度であることを意味するオブジェクト画像Ｉ１に変化させる。また、制御部１１は、スケール画像ＳＩの左端のマス目を指す位置で、カーソルＣ１を表示する。
変更キー１２１が更に操作された場合であっても、制御部１１は、図８（ａ）→図８（ｂ）→図８（ｃ）→図８（ｄ）→図８（ｅ）→図８（ａ）→・・・の順で、操作画面を更新する。
【００４５】
変更キー１２２，１２３及び１２４が操作された場合にも、制御部１１は、操作された変更キーに対応する処理条件の処理パラメータを変更する。この際、制御部１１は、表示領域１４１ａで表示中のオブジェクト画像を変化させるとともに、表示領域１４１ｂで、処理パラメータの選択肢及び選択中の処理パラメータを意味する情報を表示する。
【００４６】
図９は、原稿種の処理パラメータが変更させられるときの操作画面の遷移を示す図である。図９に示すように、変更キー１２２が１回操作される度に、制御部１１は、オブジェクト画像Ｉ２を、Ｉ２ａ→Ｉ２ｂ→Ｉ２→・・・という順で変化させる。また、制御部１１は、表示領域１４１ｂでは、選択中の処理パラメータの選択肢にカーソルＣ２を合わせるように、「写真＆文字」→「写真」→「文字」→・・・という順で、カーソルＣ２を移動させる。
【００４７】
図１０は、両面とじ原稿条件の処理パラメータが変更させられるときの操作画面の遷移を示す図である。図１０に示すように、変更キー１２３が１回操作される度に、制御部１１は、オブジェクト画像Ｉ３を、Ｉ３ａ→Ｉ３ｂ→Ｉ３→・・・という順で変化させる。また、制御部１１は、表示領域１４１ｂでは、選択中の処理パラメータの選択肢にカーソルＣ３を合わせるように、「なし」→「長辺とじ」→「短辺とじ」→・・・という順で、カーソルＣ３を移動させる。
【００４８】
図１１は、送信解像度の処理パラメータが変更させられるときの操作画面の遷移を示す図である。図１１に示すように、変更キー１２４が１回操作される度に、制御部１１は、オブジェクト画像Ｉ４を、Ｉ４ａ→Ｉ４ｂ→Ｉ４ｃ→Ｉ４→・・・という順で変化させる。また、制御部１１は、表示領域１４１ｂでは、選択中の処理パラメータの選択肢にカーソルＣ４を合わせるように、「３００×３００ｄｐｉ」→「４００×４００ｄｐｉ」→「６００×６００ｄｐｉ」→「２００×２００ｄｐｉ」→・・・という順で、カーソルＣ４を移動させる。
なお、送信解像度の処理パラメータの選択肢は４つであるから、一度に全ての選択肢が表示領域１４１ｂに表示されるわけではない。最下行に表示された「４００×４００ｄｐｉ」にカーソルＣ４が合わせられた状態で、変更キー１２４が操作された場合には、制御部１１は、表示領域１４１ｂで表示中の選択肢を１行ずつ上に移動させて、新たに最下行に表示された「６００×６００ｄｐｉ」にカーソルＣ４を合わせる。
【００４９】
制御部１１が、図７に示すステップＳ２の処理で処理パラメータを変更する操作を受け付けたと判断した後、ステップＳ３の処理で、変更キーの操作により処理パラメータが変更されていない、すなわち、方向／確定キー１２５の操作により処理パラメータが変更されたと判断した場合には（ステップＳ３；ＮＯ）、ステップＳ６の処理に進む。ステップＳ６の処理では、制御部１１は、表示領域１４１ａのオブジェクト画像を変化させずに、操作画面を更新する（ステップＳ６）。制御部１１は、方向／確定キー１２５の操作により、カラーモードの処理パラメータを変更する操作を受け付けた場合には、以下に説明するように操作画面を更新する。
【００５０】
図１２は、カラーモードの処理パラメータが変更させられるときの操作画面の遷移を示す図である。ここでは、カラーモードの処理パラメータが変更させられる前は、図５に示す操作画面Ｒが表示されているものとする。
図１２（ａ）に示すように、方向／確定キー１２５の方向キーの操作を受け付けると、制御部１１は、この操作に従って、カラーモードの情報が表示された領域にカーソルＣ５を移動させる。次に、方向／確定キー１２５の確定キーを押す操作を受け付けると、制御部１１は、図１２（ｂ）に示す操作画面に更新する。図１２（ｂ）に示す操作画面では、表示領域１４１ｂにおいて、カラーモードの処理パラメータの選択肢が表示される。図１２（ｂ）に示す操作画面では、選択中の処理パラメータを意味する「カラー」に、カーソルＣ５が合わせられている。図１２（ｂ）に示す操作画面の表示中に、方向／確定キー１２５の下方向の方向キーの操作を受け付けると、制御部１１は、図１２（ｃ）に示すように、カーソルＣ５を１行分下に移動させて、「白黒」にカーソルＣ５を合わせる。図１２（ｃ）に示す操作画面の表示中に、方向／確定キー１２５の下方向の方向キーの操作を受け付けると、制御部１１は、図１２（ｄ）に示すように、カーソルＣ５を１行分下に移動させて、「自動」にカーソルＣ５を合わせる。更に、図１２（ｄ）に示す操作画面の表示中に、方向／確定キー１２５の下方向の方向キーの操作を受け付けると、制御部１１は、図１２（ａ）に示すように、再び、「カラー」にカーソルＣ５を合わせる。
なお、制御部１１は、方向／確定キー１２５の上方向の方向キーの操作を受け付けた場合には、カーソルＣ５を上方向に１行分移動させるとよい。
【００５１】
制御部１１は、カラーモードの処理パラメータのいずれかの選択肢にカーソルＣ５を合わせた状態で、方向／確定キー１２５の確定キーが操作されると、その処理パラメータを選択中とするように、メモリ又は記憶部１７に記憶されている選択中の処理パラメータの情報を更新する。
「ファイル形式」及び「読取サイズ」の処理パラメータを変更する場合にも、制御部１１は、カーソルで処理条件を選択する操作と、その処理条件の処理パラメータを選択する操作とを受け付ける。画面遷移の具体例については、図１２を用いたカラーモードの説明と重複するから、ここでは説明及び図示を省略する。
【００５２】
図７に戻って説明する。
制御部１１は、ステップＳ２の処理で「ＮＯ」、すなわち、処理パラメータを変更する操作を受け付けていないと判断した場合には、ステップＳ７の処理に進む。次に、制御部１１は、アドレス帳データ１７１の登録ＩＤを指定する操作を受け付けたかどうかを判断する（ステップＳ７）。ここにおいて、制御部１１は、テンキー１２６の数値キーの操作により指定された数値が、登録ＩＤに一致するかどうかを判断する。ステップＳ７の処理で「ＮＯ」と判断した場合、制御部１１は、ステップＳ５の処理に進む。
【００５３】
一方、制御部１１は、登録ＩＤを指定する操作を受け付けたと判断した場合には（ステップＳ７；ＹＥＳ）、登録ＩＤにより指定された相手先についての表示情報を、表示領域１４１ａに表示する（ステップＳ８）。ここにおいて、制御部１１が、登録ＩＤとして「１２」が指定する操作を受け付けていたとする。また、この登録ＩＤの指定前の操作画面が、図１３（ａ）に示す操作画面Ｒであったとする。この場合、制御部１１は、ステップＳ８の処理で、図１３（ｂ）に示す操作画面に更新する。
すなわち、制御部１１は、登録ＩＤを指定するテンキー１２６の操作が行われる前やその操作中には、アドレス帳データ１７１の情報を表示パネル１４１に表示していない。その後、利用者により指定された登録ＩＤが、アドレス帳データ１７１に含まれる登録ＩＤと合致すると、制御部１１は、この登録ＩＤに対応付けられた相手先名を、表示領域１４１ａに表示していたオブジェクト画像に代えて表示する。図１３（ｂ）に示す例では、制御部１１は、オブジェクト画像Ｉ１から１４に代えて、アドレス帳データ１７１で登録ＩＤ「１２」に対応付けられた相手先名である、「山田太郎」という文字列を表示する。すなわち、制御部１１は、オブジェクト画像Ｉ１から１４を消去することにより、データ送信の相手先名の表示位置を確保する。また、制御部１１は、表示領域１４１ａにおいて、相手先名の左側に、「Ｓｃａｎ  ｔｏ［１２］」という文字列を表示する。
【００５４】
次に、制御部１１は、操作部１２に対して何らかの操作を受け付けたかどうかを判断する（ステップＳ９）。制御部１１は、操作部１２に対する操作を受け付けていないと判断すると（ステップＳ９；ＮＯ）、設定時間が経過したかどうかを判断する（ステップＳ１０）。制御部１１は、表示領域１４１ａに相手先名を表示した時刻からの経過時間を、図示せぬタイマを用いて計測し、設定時間が経過したかどうかを判断するとよい。この設定時間は、予め設定された時間に固定されており、例えば５秒である。ただし、この設定時間は、５秒未満であってもよいし、５秒よりも長い時間であってもよい。
【００５５】
制御部１１は、操作部１２に対する操作を受け付けていない期間は、設定時間が経過するまで、表示領域１４１ａでの相手先名の表示を維持したまま待機する（ステップＳ１０；ＮＯ）。そして、制御部１１は、設定時間が経過する前に操作部１２に対する操作を受け付けるか（ステップＳ９；ＹＥＳ）、又は、操作部１２に対する操作を受け付けることなく設定時間が経過したと判断した場合には（ステップＳ１０；ＹＥＳ）、表示領域１４１ａでの相手先名の表示を終了して、オブジェクト画像の表示に戻す（ステップＳ１１）。図１３（ｃ）に示すように、制御部１１は、アドレス帳データ１７１で登録ＩＤ「１２」に対応付けられた相手先名である「山田太郎」に代えて、オブジェクト画像Ｉ１からＩ４を、再び表示領域１４１ａに表示する。
なお、制御部１１は、設定時間が経過する前に、操作部１２に対する操作を受け付けた場合には（ステップＳ９；ＹＥＳ）、ステップＳ１１の処理に進んで、直ちにオブジェクト画像の表示に戻す。すなわち、制御部１１は、表示情報の表示中に操作部１２に対する操作を受け付けた場合には、オブジェクト画像の表示に戻してから、その操作に従った処理を実行する。
なお、ステップＳ９からＳ１１の処理ステップに関し、表示情報の表示中に、制御部１１が操作を受け付けないように変形されてもよいし、制御部１１は表示情報の表示を維持したまま、受け付けた操作に従った処理を実行するように変形されてもよい。また、制御部１１は、相手先名を表示情報として表示することに代えて、送信先情報である電子メールアドレスを表示してもよい。
【００５６】
利用者によりデータ送信の相手先と処理パラメータとが指定された後、制御部１１が、ステップＳ５の処理で情報処理の開始を指示する操作を受け付けたと判断した場合には（ステップＳ５；ＹＥＳ）、その操作に従って情報処理を実行する（ステップＳ１２）。ここでは、制御部１１は、メモリ又は記憶部１７に記憶された選択中の処理パラメータの情報に基づいて、スキャン処理を実行する。すなわち、制御部１１は、画像読取部１５により生成された画像データを、利用者により指定された登録ＩＤに対応付けてアドレス帳データ１７１に記憶された電子メールアドレスで特定される送信先へ、通信部１３を用いて送信する。
以上が、画像形成装置１０がスキャン処理を実行するときの処理の流れの説明である。
【００５７】
ところで、図１３を用いて説明した表示情報の表示方法を、便宜的に（表示方法Ａ）と称した場合、画像形成装置１０は、この（表示方法Ａ）とは異なる（表示方法Ｂ）又は（表示方法Ｃ）で、表示情報を表示してもよい。（表示方法Ｂ）及び（表示方法Ｃ）では、画像形成装置１０が、オブジェクト画像に代えて、データ送信の相手先の情報を含む複数の表示情報を順次切り替えて表示する。
【００５８】
まず、（表示方法Ｂ）について説明する。（表示方法Ｂ）では、図１４（ａ）の操作画面Ｒの表示中に登録ＩＤが指定されると、制御部１１は、オブジェクト画像Ｉ１からＩ４に代えて相手先名を表示する（図１４（ｂ）参照）。次に、制御部１１は、テンキー１２６の「♯」キーが操作されると、表示中の相手先名から、この相手先名と同じ登録ＩＤに対応付けられた電子メールアドレスに切り替えて表示する（図１４（ｃ）参照）。次に、テンキー１２６の「♯」キーが操作されると、制御部１１は、表示中の電子メールアドレスから、データの送信手段を意味する「Ｅ−ｍａｉｌ」という文字列に切り替えて表示する（図１４（ｄ）参照）。次に、テンキー１２６の「♯」キーが操作されると、制御部１１は、表示中の「Ｅ−ｍａｉｌ」という文字列から、オブジェクト画像Ｉ１からＩ４の表示に戻す（図１４（ｅ）参照）。図１４（ｂ）から（ｄ）に示す表示情報の表示中に、設定時間継続して、テンキー１２６の「♯」キーが操作されなかった場合には、制御部１１は、オブジェクト画像Ｉ１からＩ４の表示に戻す。この場合の設定時間は、（表示方法Ａ）で用いられる設定時間と同じ長さでもよいし、異なっていてもよい。
【００５９】
次に、（表示方法Ｃ）について説明する。（表示方法Ｃ）では、図１５（ａ）から（ｅ）に示すように、制御部１１は、設定時間が経過する度に、表示情報を切り替える。（表示方法Ｃ）で表示される表示情報は、ここでは、（表示方法Ｂ）で表示される表示情報と同じである。すなわち、表示情報の切り替えが利用者の操作を契機に行われるのではなく、設定時間が経過したことを契機に行われる点で、（表示方法Ｂ）と（表示方法Ｃ）とは異なる。この場合の設定時間は、（表示方法Ａ）で用いられる設定時間と同じ長さでもよいし、異なっていてもよい。また、各表示情報についての設定時間は、同じであってもよいし、異なっていてもよい。
【００６０】
画像形成装置１０は、（表示方法Ａ）、（表示方法Ｂ）及び（表示方法Ｃ）のいずれかを選択して、選択した表示方法で表示情報を表示してもよい。例えば、画像形成装置１０は、利用者の指示に従っていずれかの表示方法を選択してもよい。
以上、スキャン処理を例に挙げて画像形成装置１０の動作を説明したが、ファクシミリ送信処理を行う際にも、画像形成装置１０は、図７を用いて説明した流れの処理を実行する。スキャン処理とファクシミリ送信処理とでは、処理パラメータの種類やオブジェクト画像が異なり、また、送信先情報が電子メールアドレスかファクシミリ番号かという点で異なる。ただし、画像形成装置１０が、オブジェクト画像に代えて、一時的に、表示情報を表示する処理については、スキャン処理とファクシミリ送信処理とのどちらでも実行しうる。
【００６１】
以上説明した実施形態の画像形成装置１０は、アドレス帳データ１７１の中からデータ送信の相手先が指定されると、処理パラメータを意味するオブジェクト画像に代えて、一時的に、指定された相手先についての情報を含む表示情報を表示する。画像形成装置１０の利用者がデータ送信の相手先が指定する際には、その利用者が、画像形成装置１０で表示された表示情報を視認している可能性が相対的に高いと考えられるからである。また、画像形成装置１０は、オブジェクト画像と、データ送信の相手先についての情報とを時間的にずらして表示するから、これらの情報を同時に表示する表示領域が確保されない等、表示パネル１４１の表示領域の制約を受ける場合であっても、処理パラメータの情報及び相手先の情報を表示しうる。
例えば、利用者が登録ＩＤを覚えている場合、登録ＩＤをテンキー１２６の操作により指定して、データ送信の相手先をアドレス帳データ１７１の中から選択する場合がある。この場合、登録ＩＤの誤認等によって、利用者が誤った相手先を選択してしまい、誤送信が発生の原因となることがある。これに対し、画像形成装置１０によれば、利用者の知らぬ間に誤送信が発生する可能性が低くなる。
【００６２】
本発明は、上述した実施形態と異なる形態で実施してもよい。また、以下に示す変形例は、各々を組み合わせてもよい。
上述した実施形態で説明した、画像形成装置１０が表示する表示情報はあくまで一例である。例えば、画像形成装置１０は、登録ＩＤに対応付けてアドレス帳データ１７１に登録された他の情報を、表示情報として表示してもよい。画像形成装置１０は、電子メールアドレスのローカル部（「＠」よりも前の部分）を表示情報としてもよいし、ファクシミリ番号から特定される地域名を表示情報としてもよい。
すなわち、画像形成装置１０は、アドレス帳データ１７１に登録された情報に基づいて、データ送信の相手先を識別する情報や、実行しようとする情報処理に関する事項を含む表示情報を表示するとよい。
【００６３】
上述した実施形態では、表示情報の表示期間を規定する設定時間が固定されていたが、これを可変にするための構成を画像形成装置１０が備えていてもよい。
図１６は、画像形成装置１０が設定時間を決定するときに実行する処理の流れを示すフローチャートである。図１６に示す処理ステップは、ステップＳ７の処理で登録ＩＤを指定する操作を受け付けたことを契機に、制御部１１が実行する。
制御部１１は、アドレス帳データ１７１の中から、利用者により指定された登録ＩＤを検索する（ステップＳ７１）。次に、制御部１１は、指定された登録ＩＤがアドレス帳データ１７１に登録されているかどうかを判断する（ステップＳ７２）。指定された登録ＩＤがアドレス帳データ１７１に登録されている場合には（ステップＳ７２；ＹＥＳ）、制御部１１は、その登録ＩＤで識別される相手先の通信履歴を記憶部１７から読み出して、これを取得する（ステップＳ７３）。ここでの通信履歴は、画像形成装置１０におけるデータの送信履歴であり、例えば、相手先を識別する情報と、この相手先宛てにデータ送信した送信日時とを対応付けた情報を含む。制御部１１は、データ送信を行う度に、通信履歴を記憶部１７に記憶させておく。
【００６４】
次に、制御部１１は、取得した通信履歴に基づいて、今回指定された相手先との通信頻度の高低を判断する（ステップＳ７４）。制御部１１は、通信頻度が低いと判断した場合には（ステップＳ７４；低頻度）には、設定時間を標準時間よりも長くする（ステップＳ７５）。ここでの通信頻度は、現在日時から遡って予め決められた期間（例えば１週間）内にデータ送信した回数により特定される。例えば、制御部１１は、通信履歴から特定した送信回数が第１の閾値（例えば１回）未満である場合には、通信頻度が低いと判断する。標準時間は、標準の設定時間として、設計段階や利用者の設定等によって予め決められた時間であればよい。標準時間をＴｄとした場合、制御部１１は、ステップＳ７５の処理で、設定時間をＴｄ＋Δｔ１とするように決定する。
【００６５】
制御部１１は、通信頻度が中程度と判断した場合には（ステップＳ７４；中頻度）、設定時間を標準時間とする（ステップＳ７６）。例えば、制御部１１は、通信履歴から特定した送信回数が、第１の閾値以上且つ第２の閾値（例えば５回）未満である場合には、通信頻度が中程度と判断する。この場合、制御部１１は、ステップＳ７６の処理で、設定時間を標準時間であるＴｄに決定する。
制御部１１は、通信頻度が高いと判断した場合には（ステップＳ７４；高頻度）、設定時間を標準時間よりも短くする（ステップＳ７７）。ここでは、制御部１１は、通信履歴から特定した送信回数が第２の閾値以上である場合には、通信頻度が高いと判断する。この場合、制御部１１は、ステップＳ７７の処理で、設定時間をＴｄ−Δｔ１とするように決定する。
制御部１１は、ステップＳ１０の処理では、ステップＳ７５，Ｓ７６又はＳ７７で決定した設定時間に基づいて、設定時間が経過したかどうかを判断する。
なお、制御部１１は、ステップＳ７２の処理で、指定された登録ＩＤがアドレス帳データ１７１に登録されていないと判断した場合には（ステップＳ７２；ＮＯ）、設定時間を決定する処理を終了する。
【００６６】
この変形例の画像形成装置１０によれば、過去の通信頻度が低い相手先にデータ送信する場合ほど、設定時間を長くし、過去の通信頻度が高い相手先にデータ送信する場合ほど、設定時間を短くする。例えば、通信頻度が低い相手については、利用者が正確に登録ＩＤを覚えていない可能性が相対的に高く、反対に、通信頻度が高い相手については、利用者が正確に登録ＩＤを覚えている可能性が相対的に高いと推測される。このことから、画像形成装置１０は、通信頻度が相対的に低い場合には、表示情報の表示期間を長くすることによって、誤送信の発生を抑えることを優先する。一方、通信頻度が相対的に高い場合には、誤送信が発生しにくいと推測されるので、画像形成装置１０は、相手先名の表示期間を短くして、選択中の処理パラメータを利用者に把握させることを優先する。
【００６７】
この変形例の画像形成装置１０において、通信頻度以外の通信履歴に基づいて設定時間を可変にしてもよい。例えば、画像形成装置１０は、最後にデータ送信した日時が近いほど設定時間を短くし、最後にデータ送信した日時が遠いほど設定時間を長くしてもよい。また、画像形成装置１０は、データ送信した総回数が多いほど設定時間を短くし、データ送信した総回数が少ないほど設定時間を長くしてもよい。画像形成装置１０がデータを受信する機能を有している場合には、データ受信についての通信履歴に基づいて設定時間を決定してもよい。
また、画像形成装置１０は、通信履歴から特定した複数の情報を組み合わせて、設定時間の長さを決定してもよい。また、画像形成装置１０は、３段階で設定時間を変化させるのではなく、２段階又は４段階以上で設定時間を変化させてもよい。
【００６８】
また、画像形成装置１０では、通信履歴に基づいて設定時間を決定することに代えて、一度に表示する表示情報の文字数に応じて、設定時間を決定してもよい。表示情報の文字数が多いほど、利用者が表示情報の内容を把握するのに長い時間を要すると考えられるからである。そこで、制御部１１は、一度に表示する表示情報の文字数が少ないほど設定時間を短くし、反対に、その文字数が多いほど設定時間を長くする。この場合において、制御部１１は、例えば、表示情報の文字数が第３の閾値未満であれば、設定時間をΔｔ２だけ短くし、表示情報の文字数が第３の閾値よりも大きい第４の閾値以上であれば、設定時間をΔｔ２だけ長くする。この変形例においても、制御部１１は、３段階で文字数に応じて設定時間を変化させるのではなく、２段階又は４段階以上で設定時間を変化させてもよい。
【００６９】
画像形成装置１０は、データ送信の相手先の表示情報を表示している期間に、特定の操作が行われた場合には、アドレス帳データ１７１に登録された他の相手先を送信先に指定するように変更し、更に、表示情報を変更してもよい。
例えば、図１７（ａ）に示す操作画面Ｒの表示中に、登録ＩＤ「１２」が指定されると、制御部１１は図１７（ｂ）の操作画面に更新する。そして、制御部１１は、この表示情報の表示中に、テンキー１２６の「＊」キーの操作を受け付けた場合には、指定された登録ＩＤの数値に「１」を加えた相手先を送信先とするように変更する。また、制御部１１は、送信先の変更に伴い、表示情報を表示する。例えば、制御部１１は、登録ＩＤ「１２」よりも「１」だけ大きいＩＤ「１３」の相手先名を、アドレス帳データ１７１から取得する。この場合、制御部１１は、図１７（ｃ）に示すように、「Ｓｃａｎ  ｔｏ［１３］」という表示に変更して、表示情報を「山田太郎」から「Ｓｍｉｔｈ」に変更する。この変形例において、制御部１１は、他の特定の操作キーが操作された場合には、指定された登録ＩＤの数値から「１」を減じた相手先を送信先に変更してもよい。
この変形例の画像形成装置１０によれば、データ通信の相手先を修正するための利用者の操作負担が軽減される。
【００７０】
画像形成装置１０は、オブジェクト画像に代えて表示情報を表示した後、オブジェクト画像の表示に戻した場合に、特定の操作（例えばテンキー１２６の「＃」キー）が行われたときには、再度、表示情報を表示してもよい。この場合に、画像形成装置１０は、同じ表示情報を再表示してもよいし、一部の表示情報だけを表示してもよい。
【００７１】
上述した実施形態では、画像形成装置１０は、登録ＩＤを指定する操作を受け付けた場合に、オブジェクト画像に代えて表示情報を表示していた。この構成に代えて、又は、組み合わせて、画像形成装置１０は、アドレス帳データ１７１に基づいてアドレス帳画面を表示し、アドレス帳画面を用いて利用者にデータ送信の相手先を指定させてもよい。
例えば、図１８（ａ）に示す操作画面Ｒの表示中に、アドレス帳キー１２８の操作を受け付けると、制御部１１は、アドレス帳データ１７１に基づいて、表示パネル１４１にアドレス帳画面を表示する。そして、図１８（ｂ）に示すアドレス帳画面ＡＣの表示中に、利用者は、データ送信の相手先を示す文字列にカーソルＣ６を移動させるように、方向／確定キー１２５を操作する。ここで、図１８（ｂ）に示すように、登録ＩＤ「１２」及び相手先名「山田太郎」にカーソルＣ６が合わせられた状態で、方向／確定キー１２５の確定キーが操作されたとする。この場合、制御部１１は、図１８（ｃ）に示すように、操作画面を更新して、オブジェクト画像Ｉ１からＩ４に代えて相手先名「山田太郎」を表示する。
以降の画像形成装置１０の動作は、登録ＩＤが指定されてデータ通信の相手先が指定された場合と同じでよい。
【００７２】
上述した画像形成装置１０は、変更キーとして変更キー１２１から１２４の４つを備えていたが、３つ以下又は５つ以上備える構成であってもよい。このため、画像形成装置１０において表示領域１４１ａに表示されるオブジェクト画像の数も、３つ以下又は５つ以上であってもよい。
また、画像形成装置１０は、情報処理の全ての処理条件について、選択中の処理パラメータを意味するオブジェクト画像を表示してもよい。
また、オブジェクト画像に対応する処理条件以外の処理条件は、２種類以下又は４種類以上であってもよい。
また、画像形成装置１０は、変更キーの操作に従って処理パラメータを変更して、オブジェクト画像を変化させるのではなく、例えば、表示パネル１４１に重ねられたタッチパネルを用いて、オブジェクト画像の位置に利用者の指を触れさせる操作を受け付けて、処理パラメータを変更し、オブジェクト画像を変化させてもよい。
また、表示パネル１４１は、縦方向よりも横方向に長い矩形の表示領域を有しているものに限られない。表示パネル１４１の表示領域の形状及び寸法については特に問わない。
また、利用者が操作した操作キーと、その操作に従って画像形成装置１０で実行される処理との関係は、上述した実施形態で説明した関係に限られない。例えば、上述した実施形態では、登録ＩＤは、数値によって特定されていたが、アルファベット等の他の文字によって特定されてもよい。また、「＊」キーや「＃」キーが操作された場合に画像形成装置１０が実行していた処理は、その他の操作が行われた場合に実行されてもよい。
すなわち、上述した実施形態で説明した画像形成装置１０で表示される各画面や画面を用いて利用者が行う操作はあくまで一例であり、画面の意匠や画面を用いて利用者が行うべき操作の方法は実施形態で説明した例に限定されない。
【００７３】
上述した実施形態では、画像形成装置１０は、コンソール型であったが、いわゆるデスクトップ型であってもよく、上述した実施形態で説明した操作装置と表示装置とを備える構成であればよい。
本発明の情報処理装置は、相手先へのデータ送信を伴う情報処理を行う装置であればよく、スキャン処理及びファクシミリ送信処理以外の情報処理の実行時に、処理パラメータを意味するオブジェクト画像の表示及び表示情報の表示を行ってもよい。よって、上述した実施形態で説明した処理条件及び処理パラメータもあくまで一例であり、処理条件及び処理パラメータの具体的な種類は問わない。
また、本発明の情報処理装置は、外部装置が有している表示パネルに操作画面を表示させる装置であってもよい。
また、本発明の情報処理装置は、外部装置で実行される情報処理に関する操作画面を表示する装置であってもよい。
【００７４】
上述した実施形態の画像形成装置１０が実現する各機能は、１又は複数のハードウェア回路により実現されてもよいし、１又は複数のプログラムを演算装置が実行することにより実現されてよいし、これらの組み合わせにより実現されてもよい。
【符号の説明】
【００７５】
１０…画像形成装置、１１…制御部、１１１…第１受付手段、１１２…第２受付手段、１１３…表示制御手段、１１４…実行手段、１２…操作部、１２１，１２２，１２３，１２４…変更キー、１２５…方向／確定キー、１２６…テンキー、１２７…スタートキー、１２８…アドレス帳キー、１３…通信部、１４…表示部、１４１…表示パネル、１４１ａ，１４１ｂ…表示領域、１５…画像読取部、１６…画像形成部、１７…記憶部、１７１…アドレス帳データ、２００…通信回線
【図１】
2014216846.tif 000003
【図２】
2014216846.tif 000004
【図３】
2014216846.tif 000005
【図４】
2014216846.tif 000006
【図６】
2014216846.tif 000007
【図７】
2014216846.tif 000008
【図１６】
2014216846.tif 000009
【図５】
2014216846.tif 000010
【図８】
2014216846.tif 000011
【図９】
2014216846.tif 000012
【図１０】
2014216846.tif 000013
【図１１】
2014216846.tif 000014
【図１２】
2014216846.tif 000015
【図１３】
2014216846.tif 000016
【図１４】
2014216846.tif 000017
【図１５】
2014216846.tif 000018
【図１７】
2014216846.tif 000019
【図１８】
2014216846.tif 000020